(57)【要約】【課題】遊技機内部の省スペース化を図り、遊技機内部の空間を有効利用することができる遊技機用電子基板ケース体を提供する。【解決手段】第１電子基板と第２電子基板とを電気的に接続する配線９３の少なくとも一部が、基板ケースユニット体３１の外周面上に配されており、取手部材６１が収納位置に位置しているときには、取手部材６１が使用不能になり、かつ基板ケースユニット体３１の外周面上に配された配線９３が取手部材６１によって被覆された被覆状態となり、一方、取手部材６１が非収納位置α１に位置しているときには、取手部材６１が使用可能になり、かつ基板ケースユニット体３１の外周面上に配された配線９３が取手部材６１によって被覆されない露出状態となる。【選択図】図１
2018000299.tif 000002
【特許請求の範囲】
【請求項１】
第１の電子基板が収納されている第１の基板ケースと、前記第１の基板ケースに連結されており、第２の電子基板が収納されている第２の基板ケースとを具備する基板ケースユニット体と、
前記基板ケースユニット体の外周面に、収納位置又は非収納位置に位置変換自在に取り付けられている取手部材と、
を有し、
前記第１の電子基板と前記第２の電子基板とを電気的に接続する配線の少なくとも一部が、前記基板ケースユニット体の外周面上に配されており、
前記取手部材が収納位置に位置しているときには、前記取手部材が使用不能になり、かつ前記基板ケースユニット体の外周面上に配された配線が前記取手部材によって被覆された被覆状態となり、
一方、前記取手部材が非収納位置に位置しているときには、前記取手部材が使用可能になり、かつ前記基板ケースユニット体の外周面上に配された配線が前記取手部材によって被覆されない露出状態となる
ことを特徴とする遊技機用電子基板ケース体。
【請求項２】
前記取手部材が、前記第１の基板ケース及び前記第２の基板ケースのうち一方の基板ケースに位置変換自在に取り付けられている構成にあって、
前記収納位置に位置している前記取手部材を他方の基板ケースに固定する固定構造を有している
請求項１に記載の遊技機用電子基板ケース体。
【発明の詳細な説明】
【技術分野】
【０００１】
本発明は、電子基板が収納された基板ケースを具備する遊技機用電子基板ケース体に関する。
【背景技術】
【０００２】
一般的に、パチンコ機やスロットマシン等の遊技機に用いられる電子基板は、不正行為防止の目的、静電気対策の目的、及び外部に対して絶縁することで電気的な破壊又は誤動作防止の目的で基板ケースに収納された状態で遊技機内部に取り付けられている。
【０００３】
一方で、遊技機の機能が向上し、遊技内容がさらに高度化している結果、部品点数が増えることにより遊技機の内部が高密度化し、遊技機内部の構造が複雑化しているのが現状である。
【０００４】
このような現状に鑑み、例えば特許文献１には、構造物（電子基板）を収容可能な弾球遊技機用の収容ケースにおいて、把持可能な把持部が設けられている構成が開示されている。これにより、収容ケースを組み付ける作業や、交換時の作業を容易としている。
【先行技術文献】
【特許文献】
【０００５】
【特許文献１】特開２０１５−１００４６５号公報
【発明の概要】
【発明が解決しようとする課題】
【０００６】
しかしながら、遊技機内部の高密度化はますます進んでおり、遊技機内部の省スペース化をより一層図ることができる構成が強く望まれている。
【０００７】
そこで本発明は、遊技機内部の省スペース化を図り、遊技機内部の空間を有効利用することができる遊技機用電子基板ケース体を提供することを目的とする。
【課題を解決するための手段】
【０００８】
本発明は、第１の電子基板が収納されている第１の基板ケースと、前記第１の基板ケースに連結されており、第２の電子基板が収納されている第２の基板ケースとを具備する基板ケースユニット体と、前記基板ケースユニット体の外周面に、収納位置又は非収納位置に位置変換自在に取り付けられている取手部材と、を有し、前記第１の電子基板と前記第２の電子基板とを電気的に接続する配線の少なくとも一部が、前記基板ケースユニット体の外周面上に配されており、前記取手部材が収納位置に位置しているときには、前記取手部材が使用不能になり、かつ前記基板ケースユニット体の外周面上に配された配線が前記取手部材によって被覆された被覆状態となり、一方、前記取手部材が非収納位置に位置しているときには、前記取手部材が使用可能になり、かつ前記基板ケースユニット体の外周面上に配された配線が前記取手部材によって被覆されない露出状態となることを特徴とする遊技機用電子基板ケース体である。
【０００９】
かかる構成にあって、遊技機用電子基板ケース体を遊技機に取り付ける際には、取手部材を非収納位置にして使用可能とし、使用可能となった取手部材を持って遊技機用電子基板ケース体を所定位置に配置したり取り付けたりすることができる。このため、取り付け位置の周辺が狭く、作業スペースが十分確保できない場合にも容易に遊技機用電子基板ケース体の取り付け作業を行うことができる。また、遊技機用電子基板ケース体を遊技機に取り付けた後は、取手部材を収納位置とすることで露出状態の配線が被覆された状態となるため、当該配線に対する不正行為を防止することができる。加えて、配線に、作業者の手や遊技機の内部に装着される部材、あるいは部材同士を締結するための締結部材等が誤って触れてしまい、配線が損傷してしまうことも防止することができる。また、取手部材が収納位置に配されることで、取手部材自体も邪魔になることがない。このように本発明の取手部材は、取手としての機能に加えて、配線を不正行為から守る不正行為防止機能も兼ね備えている。したがって、例えば取手部材と配線カバーとを個別に装着した構成に比べて、本発明は部品点数を減らすことができ、遊技機内部の省スペース化をより一層図ることが可能である。勿論、電子基板が基板ケースに収納されることにより、電子基板に対する不正行為を防止することができると共に、電子基板に対する静電気の対策を図ることもでき、さらに、電子基板と外部との絶縁を確保することによって電子基板の電気的な破壊や誤動作を防止することもできる。
【００１０】
また、前記取手部材が、前記第１の基板ケース及び前記第２の基板ケースのうち一方の基板ケースに位置変換自在に取り付けられている構成にあって、前記収納位置に位置している前記取手部材を他方の基板ケースに固定する固定構造を有している構成が提案される。
【００１１】
かかる構成にあって、取手部材が収納位置にある場合には、第１の基板ケースと第２の基板ケースとが取手部材によって互いに固定される。このため、取手部材を介して第１の基板ケースと第２の基板ケースとが連結されることとなり、例えば第１の基板ケースから第２の基板ケースが意図せず脱離してしまうことが抑制される。したがって、かかる構成の取手部材は、上述した取手の機能と不正行為防止機能とに加えて、連結部材としての機能も兼備している。
【図面の簡単な説明】
【００１２】
【図１】実施例１にかかる遊技機用電子基板ケース体を示し、（ａ）は取手部材が非収納位置にある状態を示す斜視図であり、（ｂ）は（ａ）のＸ部分を示す部分拡大断面図である。
【図２】遊技機用電子基板ケース体が遊技機の筐体内に取り付けられた状態を示す概要図である。
【図３】（ａ）は取手部材が収納位置にある遊技機用電子基板ケース体の斜視図であり、（ｂ）は（ａ）の一部切欠正面図である。
【図４】実施例２にかかる遊技機用電子基板ケース体の斜視図であり、（ａ）は取手部材が非収納位置にある状態を示し、（ｂ）は取手部材が収納位置にある状態を示している。
【図５】実施例３にかかる遊技機用電子基板ケース体の斜視図であり、（ａ）は取手部材が非収納位置にある状態を示し、（ｂ）は取手部材が収納位置にある状態を示している。
【発明を実施するための形態】
【００１３】
本発明を遊技機に適用した実施形態を、以下の実施例に従って説明する。なお、実施例を説明する際には、便宜上、上下左右前後の方向を規定して説明する場合があるが、このことは、本発明が下記実施例で定められた方向にのみ限定されて使用されることを意味するものではない。
【００１４】
〔実施例１〕
実施例１の遊技機用電子基板ケース体１を図１〜図３に従って説明する。
図１（ａ）に示すように、遊技機用電子基板ケース体１は、箱形状の第１基板ケース１１（第１の基板ケース）と、第１基板ケース１１より小さい大きさの第２基板ケース２１（第２の基板ケース）とを備えている。そして、第１基板ケース１１と第２基板ケース２１とが重ね合わされた状態で互いに連結されており、第１基板ケース１１と第２基板ケース２１とによって基板ケースユニット体３１が構成されている。
【００１５】
図２に示すように、第１基板ケース１１には、第１電子基板（第１の電子基板）９１が収納されている。さらに詳述すると、第１基板ケース１１は、容器に相当する第１ベース部４１と、蓋体に相当する第１カバー部４２とで構成されており、第１電子基板９１は第１ベース部４１の内部に固定されている。そして、第１カバー部４２が第１ベース部４１の開口を遮蔽した状態で第１ベース部４１に固定されることにより、第１電子基板９１が第１基板ケース１１内に収納された状態となっている。
【００１６】
また、図２に示すように、第２基板ケース２１には、第２電子基板（第２の電子基板）９２が収納されている。さらに詳述すると、第２基板ケース２１は、容器に相当する第２ベース部５１と、蓋体に相当する第２カバー部５２とで構成されている。そして、第１基板ケース１１と同様に、第２電子基板９２が第２ベース部５１内に固定され、かつ、第２カバー部５２が第２ベース部５１の開口を遮蔽するように第２ベース部５１に固定されることにより、第２電子基板９２が第２基板ケース２１内に収納された状態となっている。
【００１７】
また、図１（ａ）に示すように、第１基板ケース１１における外周面の上面部には、凹状に窪んだ凹段部１５が形成されており、凹段部１５に取手部材６１が回動自在に取り付けられている。
【００１８】
取手部材６１は、図１〜図３に示すように、蓋形状の被覆部７１と、被覆部７１から延設されている枠状の指掛け部７２と、を備えている。さらに、被覆部７１は、主板部となる天部７１ａと、天部７１ａの周縁から起立して天部７１ａを囲繞するように形成された側壁部７１ｂとで構成されている。
【００１９】
また、図１（ｂ）に示すように、取手部材６１の両端部には、左右方向に向かって突き出された支軸部７３が設けられている。そして、支軸部７３が、凹段部１５に位置する第１ベース部４１の壁面に設けられた溝状の軸受け部４５に挿入されることで、取手部材６１が第１基板ケース１１に回動自在に取り付けられている。なお、取手部材６１の回動態様は、後で詳述する。
【００２０】
また、図１（ａ）に示すように、第２ベース部５１の外周縁部のうち左右の側縁部には、ネジ孔部が貫通状に形成されている第２取り付け用突出部５３がそれぞれ複数設けられている。かかる構成にあって、第２取り付け用突出部５３のネジ孔部に固定用のネジが挿通されることによって、第２基板ケース２１が第１基板ケース１１の前面に固定される。なお、第２基板ケース２１が第１基板ケース１１の前面に連結された状態において、第１基板ケース１１の上部に形成された凹段部１５の上面は、第２基板ケース２１の上面とほぼ面一となっている。
【００２１】
さらに、第１基板ケース１１の外周縁部のうち上下の側縁部には、ネジ孔部が貫通状に形成されている第１取り付け用突出部４３がそれぞれ複数設けられている。かかる構成にあって、第１取り付け用突出部４３のネジ孔部に固定用のネジが挿通されることによって、図２に示すように、第１ベース部４１の後面と遊技機における筐体内の壁面Ｈとが向かい合うようにして第１基板ケース１１が筐体内の所定位置に取り付けられる。
【００２２】
ところで、図１等に示すように、第１基板ケース１１に収納された第１電子基板９１と、第２基板ケース２１に収納された第２電子基板９２は、配線９３によって電気的に接続されている。
【００２３】
配線９３は、基板ケースユニット体３１の外周面（上面）上に露出した状態で配されており、図２に示すように、配線９３の第１基板ケース１１側の端部は、第１カバー部４２の上面に形成された第１開口部４４に挿通されており、配線９３の第２基板ケース２１側の端部は、第２カバー部５２の上面に形成された第２開口部５４に挿通されている。かかる構成により、配線９３の少なくとも一部が、第１基板ケース１１と第２基板ケース２１との境界部分を跨ぐように架け渡されている。
【００２４】
さらに、図１（ａ）に示すように、取手部材６１にあって、第２基板ケース２１側に配された角部には、第２基板ケース２１側に向かって突出した係止爪７５を有する係止部７６が一対設けられている。
【００２５】
一方、第２カバー部５２の上面には、貫通孔形状の係止孔５５が一対設けられている。
【００２６】
そして、係止爪７５は、第２カバー部５２の上面に形成された係止孔５５とそれぞれ係合自在な寸法形状に定められている。なお、係止爪７５が係止孔５５に係合した状態は、後で詳述する。
【００２７】
次に、取手部材６１の回動態様について説明する。
【００２８】
取手部材６１は、図１（ａ）に示すような第１基板ケース１１に対して起立した非収納位置α１と、図３（ａ）に示すような第２基板ケース２１側に倒された収納位置β１とに位置変換自在に回動可能となっている。
【００２９】
そして、図１（ａ）に示すように取手部材６１が非収納位置α１にあるとき、取手部材６１の指掛け部７２は指で摘んだり、指を引っ掛けたりすることが可能となり、取手部材６１は取手として機能する。したがって、作業スペースが十分確保できない場合にも作業者は取手部材６１を把持するなどして遊技機用電子基板ケース体１を持ち運ぶことができる。
【００３０】
なお、このように取手部材６１が非収納位置α１にあるときは、図１（ａ）に示すように、配線９３が外部に露出する露出状態となり、作業者は配線９３を直接視認することができるため、配線９３の点検や交換作業を容易に行うことができる。
【００３１】
これに対して、図３（ａ）に示すように、取手部材６１を収納位置β１に位置変換したときは、指掛け部７２は第２基板ケース２１の上面に当接し、指掛け部７２を摘んだり、指を引っ掛けたりすることができなくなり、指掛け部７２を用いて遊技機用電子基板ケース体１を持ち運ぶことができなくなる。
【００３２】
そして、このように取手部材６１が収納位置β１に位置すると、外部に露出していた配線９３は、取手部材６１の被覆部７１によって完全に被覆された被覆状態となる。具体的には、被覆部７１の側壁部７１ｂの先端と配線９３の周囲とが当接し、配線９３が被覆部７１によって外部と遮断されると共に、第１開口部４４及び第２開口部５４も被覆部７１によって塞がれた状態となる。したがって、配線９３に対して外部から工具等を差し入れることが阻止され、配線９３に対する不正行為を防止することが可能となる。また、第１開口部４４又は第２開口部５４を介してメダル等の金属体が誤って基板ケース１１，２１内に入ってしまい、電子基板９１，９２上の電子部品や配線と当該金属体とが接触してショートする不具合も防止することができる。さらに、第１開口部４４及び第２開口部５４が塞がれることで、電子基板９１，９２に対する静電気対策としても優れたものとなる。なお、このような収納位置β１に位置する取手部材６１全体は、凹段部１５の窪んだスペースに収まるため、取手部材６１自体が筐体内で邪魔になることがなく、遊技機内部の省スペース化を図り、遊技機内部の空間を有効利用することができる。
【００３３】
また、取手部材６１が収納位置β１に位置すると、図３（ｂ）に示すように、係止爪７５が係止孔５５内に圧入されて取手部材６１と第２基板ケース２１とが係合状態となる。したがって、取手部材６１は連結部材として機能することになり、取手部材６１を介して第１基板ケース１１と第２基板ケース２１とが連結されることとなる。このため、例えば第１基板ケース１１から第２基板ケース２１が意図せず脱離してしまうことが抑制される。
【００３４】
なお、取手部材６１を収納位置β１から非収納位置α１に位置変換する場合には、係止部７６を弾性変形させて係止爪７５と係止孔５５との係合状態を解除した後、支軸部７３を中心に取手部材６１を回動させて起立状態とすればよい。このように、係止爪７５と係止孔５５との係合状態を容易に解除することができる構造が採用されることにより、作業者は簡易な作業で取手部材６１を収納位置β１から非収納位置α１に位置変換することができ、作業効率が向上する。なお、係止爪７５を含む係止部７６と係止孔５５とによって、固定構造Ｋ１が構成されている。
【００３５】
〔実施例２〕
実施例２の遊技機用電子基板ケース体２を図４に従って説明する。なお、上記実施例１と同様の構成を有するものは同じ符号を付し、説明を省略する。
【００３６】
遊技機用電子基板ケース体２における基板ケースユニット体３２にあっては、第２カバー部５６に取手部材止め用ネジ孔部５７が設けられている。
【００３７】
また、取手部材６２には、固定用ネジ孔部７７が設けられている。
【００３８】
そして、図４（ａ）に示すように、取手部材６２が非収納位置α２であるときは、配線９３は外部に露出した露出状態となり、直接視認できるとともに、配線９３の点検、あるいは交換等の作業を容易に行うことができる。また、使用可能となった取手部材６２の指掛け部７２を持って遊技機用電子基板ケース体２を所定位置に配置することができる。
【００３９】
また図４（ｂ）に示すように、取手部材６２を収納位置β２に位置変換したときは、露出状態だった配線９３が完全に被覆された状態となるため、当該配線９３に対する不正行為を防止することができる。また、取手部材６２が収納位置β２に配されることで、取手部材６２自体も邪魔になることがない。
【００４０】
なお、取手部材６２を収納位置β２に位置したとき、取手部材６２の固定用ネジ孔部７７を通して取手部材止め用ネジ孔部５７にネジＳを取り付けることにより、取手部材６２と第２基板ケース２２とを固定することができる。なお、取手部材止め用ネジ孔部５７と、固定用ネジ孔部７７と、ネジＳとによって、固定構造Ｋ２が構成されている。
【００４１】
〔実施例３〕
実施例３の遊技機用電子基板ケース体３を図５に従って説明する。なお、上記実施例１，２と同様の構成を有するものは同じ符号を付し、説明を省略する。
【００４２】
遊技機用電子基板ケース体３にあっては、取手部材６３を図５（ａ）に示すような非収納位置α３と、図５（ｂ）に示すような収納位置β３とに位置変換することができる。
【００４３】
取手部材６３は、略四角形の天部７１ｃと、天部７１ｃの３辺から略垂直に起立した側壁部７１ｄと、側壁部７１ｄの先端から横方向に突出したフランジ部７１ｅと、を備えている。
【００４４】
これに対して、第１基板ケース１３の凹段部１５における第１カバー部４６及び第２基板ケース２２の第２カバー部５６には、断面Ｌ字形状の取手部材係止部８１が複数設けられている。加えて、取手部材係止部８１の近傍位置には、弾性変形によって出没自在な抜け止め部８２が複数設けられている。
【００４５】
上記構成の遊技機用電子基板ケース体３において、取手部材６３を非収納位置α３とする際には、図５（ａ）に示すように、配線９３のない右側の取手部材係止部８１に取手部材６３のフランジ部７１ｅを前側から移動させて、抜け止め部８２を下向きに撓ませながら挿通する。
【００４６】
そして、取手部材６３を、第１基板ケース１３に突出状に設けられたストッパー８３に当接するまでスライド移動させると、ストッパー８３と抜け止め部８２とによって取手部材６３の前後移動が規制され、取手部材６３が基板ケースユニット体３３から離脱不能になる。
【００４７】
このように、取手部材６３が非収納位置α３にあるとき、取手部材６３の天部７１ｃを指掛け部として指を掛けたり掴んだりすることによって遊技機用電子基板ケース体３を所定位置に配置したり取り付けたりすることができる。また、取手部材６３が非収納位置α３にあるときは、配線９３が外部に露出した露出状態となる。
【００４８】
一方、取手部材６３を非収納位置α３から図５（ｂ）に示す収納位置β３とする場合には、取手部材６３を固定している抜け止め部８２を弾性変形させながら取手部材６３を手前側に引っ張り出して基板ケースユニット体３３から抜き出す。そして、取手部材６３の前後の向きを反転させてから配線９３の周囲に配された取手部材係止部８１に取手部材６３を挿通する。さらに、取手部材６３を所定位置までスライド移動させると、抜け止め部８２によって取手部材６３の前後移動が規制される。
【００４９】
このとき、取手部材６３は、配線９３の上方向、左右方向、及び手前方向を被覆する。なお、配線９３の奥側は、遊技機における筐体内の壁面Ｈが配置されているため、結果的に配線９３は取手部材６３と壁面Ｈとによって完全に被覆されて、配線９３に対して外部から不正を行うことは不可能となる。
【００５０】
また、取手部材６３が収納位置β３にあるときは、指を差し入れる箇所がないため、取手部材６３は取手として使用することができず、収納状態となる。
【００５１】
これまでに述べた構成にあって、取手部材６１，６２，６３の固定構造は特に限定されることはない。例えば、第２カバー部５２に係止爪７５を設け、取手部材６１に係止孔５５を設ける構成としてもよい。また、一方の基板ケース１１に取手部材６１，６２，６３が取り付けられた構成にあって、収納位置β１，β２，β３に位置している取手部材６１，６２，６３を他方の基板ケース２１，２２，２３に固定する固定構造が設けられていないものであっても勿論よい。例えば、実施例１において、係止孔５５が第１基板ケース１１に設けられていてもよい。また、実施例２において、取手部材止め用ネジ孔部５７が第１基板ケース１１に設けられていてもよい。これらのような構成の場合にも、取手部材６１，６２，６３が収納位置β１，β２，β３にある状態が適正に維持されるため、仮に作業者の手や他の部材、あるいは不正行為者が遊技機の外部から遊技機の内部に侵入させた不正器具が取手部材６１，６２，６３に接触したとしても、意図せず取手部材６１，６２，６３が収納位置β１，β２，β３にある状態が解除されてしまうことがない。また、取手部材６１，６２，６３を収納位置β１，β２，β３に固定する構造としては、かかる固定構造を部分的に破壊しなければ取手部材６１，６２，６３を収納位置β１，β２，β３から非収納位置α１，α２，α３に位置変換することができないかしめ構造を適用しても勿論よい。かかる構成とすることにより、取手部材６１，６２，６３が収納位置β１，β２，β３に強固に固定されることになる。加えて、不正行為者が無理矢理に取手部材６１，６２，６３を位置変換すると、その痕跡が残ることになるため、不正行為を防止する上で利点がある。
【００５２】
また、第１電子基板９１や第２電子基板９２は、遊技を制御するための電子部品に限定されることはなく、その他の電子部品が実装されている基板であればよい。
【符号の説明】
【００５３】
１，２，３          遊技機用電子基板ケース体
１１，１３          第１基板ケース（第１の基板ケース）
２１，２２          第２基板ケース（第２の基板ケース）
３１，３２，３３    基板ケースユニット体
６１，６２，６３    取手部材
９１                第１電子基板（第１の電子基板）
９２                第２電子基板（第２の電子基板）
９３                配線
Ｋ１，Ｋ２          固定構造
α１，α２，α３    非収納位置
β１，β２，β３    収納位置
【図１】
2018000299.tif 000003
【図２】
2018000299.tif 000004
【図３】
2018000299.tif 000005
【図４】
2018000299.tif 000006
【図５】
2018000299.tif 000007
【手続補正書】
【提出日】平成28年11月30日(2016.11.30)
【手続補正１】
【補正対象書類名】特許請求の範囲
【補正対象項目名】請求項１
【補正方法】変更
【補正の内容】
【請求項１】
第１の電子基板が収納されている第１の基板ケースと、前記第１の基板ケースに連結されており、第２の電子基板が収納されている第２の基板ケースとを具備する基板ケースユニット体と、
前記基板ケースユニット体の外周面に、収納位置又は非収納位置に位置変換自在に取り付けられている取手部材と、
を有し、
前記第１の電子基板と前記第２の電子基板とを電気的に接続する配線の少なくとも一部が、前記基板ケースユニット体の外周面上に配されて外部に露出しており、
前記取手部材が収納位置に位置しているときには、前記取手部材が使用不能になり、かつ前記基板ケースユニット体の外周面上に配された前記配線が前記取手部材によって被覆されて外部と遮断された被覆状態となり、
一方、前記取手部材が非収納位置に位置しているときには、前記取手部材が使用可能になり、かつ前記基板ケースユニット体の外周面上に配された前記配線が前記取手部材によって被覆されない露出状態となる
ことを特徴とする遊技機用電子基板ケース体。
【手続補正２】
【補正対象書類名】明細書
【補正対象項目名】０００８
【補正方法】変更
【補正の内容】
【０００８】
本発明は、第１の電子基板が収納されている第１の基板ケースと、前記第１の基板ケースに連結されており、第２の電子基板が収納されている第２の基板ケースとを具備する基板ケースユニット体と、前記基板ケースユニット体の外周面に、収納位置又は非収納位置に位置変換自在に取り付けられている取手部材と、を有し、前記第１の電子基板と前記第２の電子基板とを電気的に接続する配線の少なくとも一部が、前記基板ケースユニット体の外周面上に配されて外部に露出しており、前記取手部材が収納位置に位置しているときには、前記取手部材が使用不能になり、かつ前記基板ケースユニット体の外周面上に配された前記配線が前記取手部材によって被覆されて外部と遮断された被覆状態となり、一方、前記取手部材が非収納位置に位置しているときには、前記取手部材が使用可能になり、かつ前記基板ケースユニット体の外周面上に配された前記配線が前記取手部材によって被覆されない露出状態となることを特徴とする遊技機用電子基板ケース体である。